(57)【要約】      （修正有）【課題】装飾つきのろうそく立て風防を提供する。【解決手段】ろうそく立て１に板バネ３を複数設置した台座２を、当該台座２の内側に取り付けパイプ５を挿入して内側に設けた板バネ３を径方向に広げ、ろうそく立て１に対して板バネ３の下端を引っ掛け、固定する。更に、当該台座２に風防４を装着してろうそくの炎を風から防ぐ。取り外す場合は、取り付けパイプ５を台座２に挿入して板バネ３を広げ、引き抜く。【選択図】図１
0003140625.tif 000002
【実用新案登録請求の範囲】
【請求項１】
ろうそく立てよりも大きな内径を有する台座と、この台座の内壁でその略軸方向に設けられ且つその一部が台座内側に出ている板バネと、前記台座の内側に挿入可能な取り付けパイプと、台座の内側にて前記板バネにより底部を固定し得る風防を備えたことを特徴とするろうそく立ての風防。
【請求項２】
更に、前記板バネは、中間部分から下端にかけて凹曲面形状となることを特徴とする請求項１に記載のろうそく立ての風防。
【請求項３】
更に、前記台座の内壁に設けた突起が設けられ、前記取り付けパイプに前記突起に対応する切り込みが設けられていることを特徴とする請求項１又は２に記載のろうそく立ての風防。
【考案の詳細な説明】
【技術分野】
【０００１】
本考案は、墓に設置されたろうそく立てを利用して、脱着自在な飾りを設置するとともに、ろうそくの炎を風から防ぐ風防を装着する、ろうそく立ての風防に関するものである。
【背景技術】
【０００２】
従来、墓参りをしている間は、ろうそくの火が燃えていて欲しいものだが、ろうそくは風が吹くと、すぐに消えてしまう。また、燃え残ったろうそくは、夏には溶けて曲がり見栄えが悪く、掃除も手間取る。
【０００３】
墓の多くには、円形の座に釘が付いた、ろうそく立てが設置されているが殺風景である。現在墓石のデザインは多様化しており、墓石に設置されるろうそく立ても、墓のデザインにマッチングする装飾が求められている。
【０００４】
風防の付いた、見栄えの良いろうそく立てを、墓に置いておくと、盗難の被害の可能性がある。また、掃除が大変である。
【特許文献１】特開２００２−２５０１５１
【考案の開示】
【考案が解決しようとする課題】
【０００５】
多くの墓には円形のろうそく立てが取り付けられているが、風の吹いている時は、ろうそくの炎の風除けがないため、ろうそくの炎の点火後すぐに炎が消えてしまう。
【０００６】
墓石に設置されているろうそく立ては円形の台座に釘が立っているだけの物が多いが、飾りを設置すると盗まれる可能性がある。また、取り外しが出来ないので掃除が困難である。本考案は以上の欠点を除くためになされたものである。
【課題を解決するための手段】
【０００７】
このろうそく立ての風防は、ろうそく立てよりも大きな内径を有する台座と、この台座の内壁でその略軸方向に設けられ且つその一部が台座内側に出ている板バネと、前記台座の内側に挿入可能な取り付けパイプと、台座の内側にて前記板バネにより底部を固定し得る風防を備えたことを特徴とする。
【０００８】
また、このろうそく立ての風防は、上記考案において、更に、前記板バネは、中間部分から下端にかけて凹曲面形状となることを特徴とする。
【０００９】
また、このろうそく立ての風防は、上記考案において、更に、前記台座の内壁に設けた突起が設けられ、前記取り付けパイプに前記突起に対応する切り込みが設けられていることを特徴とする。
【考案の効果】
【００１０】
墓に既に設置されている、ろうそく立てに、脱着自在の台座を設置して、ろうそくの風防を装着することが出来る。取り付ける台座に飾りや、彫刻、塗装を施すことにより見栄えも良くなり、多様な墓石にも対応できる。台座が汚れた場合は、台座を取外せるので清掃がた易い。風防と台座が分離できるので、風防に模様や、塗装をしてろうそくの光の演出も可能である。
台座の突起と、取り付け用パイプの切り込み位置との係合により、取り付け用パイプが鍵の役目をして盗難防止に役立つ。
【考案を実施するための最良の形態】
【００１１】
以下、本考案の実施するための最良の形態について説明する。
墓石に設置されている既存の円形状のろうそく立て１の外形より大きい直径の内径を有する台座２の内壁に、板バネ３をその長手方向が台座２の略上下方向（台座２の軸方向）となるように等間隔に複数設置する。台座２の材質は樹脂製、陶器、木製、金属製、石製からなり、板バネ３は下部が２ヶ所谷おりされ、ろうそく立て１の下端に咬合出来る形状を有する。
【００１２】
台座２の内径に取り付けパイプ５を嵌着し、板バネ３の下部を広げる。
台座２の内径の内壁に突起６を設け、取り付けパイプ５に係合する切り込み７を設置すると、取り付けパイプ５が台座２の板バネ３を広げる鍵の機能を持つ事ができる。
【００１３】
取り付けパイプ５を嵌着した状態で、台座２をろうそく立て１に被せた状態で、取り付けパイプ５を引き抜くことにより、板バネ３がろうそく立て１の下端を咬合して、台座２が装着出来る。
【００１４】
台座２に風防４を嵌め込み、ろうそくの風防が設置される。風防４は、ガラス、不燃性の樹脂、不燃紙から成り、透明または、半透明とする。
風防４に模様や、塗装、絵柄を施すと、ろうそくの光の演出が可能となる。
【００１５】
台座２を取り外す場合は、風防４を取り外して、取り付けパイプ５を台座２の内径に嵌着すると、板バネ３が広がりろうそく立て１から脱着することが出来る。
【実施例１】
【００１６】
以下、本考案の実施形態を、図面を参照にしながら説明する。
図１は本考案の断面図が示されている。台座２に取り付けられた、板バネ３がろうそく立て１を咬合して設置されている。各一枚の板バネ３は下部が、２ヶ所谷折に曲げてあり、中間の曲げは、ろうそく立て１の下端に入り、先端部分の曲げがろうそく立て１下端を掴み、台座２が固定される。板バネ３の下部先端はろうそく立て１の曲面となる底に密着する様に、また、取り付けパイプの下端が接触しスムーズに板バネ３が開くように、前記中間部分から下端にかけて凹曲面形状とするのが望ましい。また、この板バネ３は、前記中間部分から下端にかけて台座２の中心側に出ている。
台座２の内径に嵌め込まれた風防４が、ろうそく立て１に立てられたろうそくの炎を風から防いでいる状態を示す。
【００１７】
図２は、多くの墓に設置されているろうそく立て１にろうそくを立てた図である。以下に図２のろうそく立て１に、本考案によるろうそく立ての風防の設置方法を示す。
【００１８】
図３は、台座２に複数取り付けられた板バネ３を広げる方法を示した図である。
台座２の内径に取り付けパイプを挿入する。取り付けパイプ５が押し込まれることにより、板バネ３の下部が台座２の径方向に開き、ろうそく立て１をその内部に挿入できるようになる。
【００１９】
図４は台座２の内径の内壁部に突起６を設置し、取り付けパイプ５の突起６に係合する切り込み７を設置した図である。この突起６と切り込み７により、取り付けパイプ５が板バネ３を広げる鍵の役目をすることが出来る。即ち、切り込み７が突起６に対応して設けられているから、この取り付けパイプ５を台座２に挿入する際、突起６が切り込み７に入り、当該取り付けパイプ５が台座２に完全に挿入できる。そして、第三者が単なる円筒物を台座２の内側に差し込んでも、当該突起６が邪魔して最後まで差し込めず、台座２をろうそく立て１から容易に取り外すことができない。突起６と切り込み７の数や位置を変化することにより、複数の組合せが可能となる。
【００２０】
図５は、ろうそく立て１に台座２を設置する方法を示す図である。
取り付けパイプ５を嵌着した状態でろうそく立て１に装着する。
台座２の板バネ３は取り付けパイプ５により広がっているので板バネ３の障害なく装着出来る。この時、板バネ３の下端の折り曲げが、取り付けパイプ５の下端に掛かり取り付けパイプ５が下がり過ぎない役目も果たす。
【００２１】
図６は、取り付けパイプ５を引き抜くことにより、ろうそく立て１に台座２を固定する方法を示す。取り付けパイプ５を台座２から引き抜くと、板バネ３がろうそく立て１の下部で元に戻り、板バネ３の反作用で台座２が固定される。
台座２を取り外す場合も、取り付けパイプ５を台座２の内径に挿入することにより、板バネ３が広がり、台座２がろうそく立て１から取外せる。
取り外す時に、台座２の突起６と、取り付けパイプ５の切り込み７の係合を設置すると、取り付けパイプ５が鍵の役目をして盗難防止に役立つ。
【００２２】
図７は、台座２に風防４を嵌め込む図を示す。
台座２の内側に設置された、板バネ３と接触することにより、風防４は保持される。
風防４と接触される部分の板バネ３は山折に曲げられ、板バネ３の反発力で風防４が保持されるのが望ましい（図示省略）。
【００２３】
図８は、ろうそく立て１に設置された台座２の平面図を示す。台座２の内径は円形でなく、楕円、多角形でも良い。
【００２４】
図９は、本考案の台座２をはすの花をイメージした形状にして、設置された立面図である。
このように台座２を装飾施し、または、装飾を取り付けることにより、ろうそく立てを、装飾する事が出来る。墓石もデザインが多様化しており、ろうそく立ても墓石に合うデザインが求められている。
また、本考案は、取り付けパイプ５により、台座２が脱着自在であるので、台座２が汚れたら取り外して洗うことも出来る。
【図面の簡単な説明】
【００２５】
【図１】本考案の概略断面図。
【図２】従来のろうそく立ての断面図。
【図３】台座２に取り付けパイプ５を挿入する断面図。
【図４】台座２に突起６に、取り付けパイプ５に切り込み７を入れ係合する断面図。
【図５】ろうそく立て１に台座２を設置する断面図。
【図６】取り付けパイプ５を引抜き、台座２を固定する断面図。
【図７】風防４を装着する断面図。
【図８】本考案の平面図。
【図９】台座２を装飾した立面図。
【符号の説明】
【００２６】
１  ろうそく立て
２  台座
３  板バネ
４    風防
５    取り付けパイプ
６    突起
７    切り込み
【図１】
0003140625.tif 000003
【図２】
0003140625.tif 000004
【図３】
0003140625.tif 000005
【図４】
0003140625.tif 000006
【図５】
0003140625.tif 000007
【図６】
0003140625.tif 000008
【図７】
0003140625.tif 000009
【図８】
0003140625.tif 000010
【図９】
0003140625.tif 000011